(57)【要約】【課題】  着用の際に、容易に陰唇間パッドと陰唇との位置関係を認識できる陰唇間パッドを提供する。【解決手段】  この陰唇間パッド１６０は、長手方向と短手方向とを有する実質的に縦長の形状をなし、着用時に身体側に対向する身体側面と、着用時に衣服側に対向する反身体側面とを備え、着用時には反身体側面に着用者の指２３０を添えた状態で、陰唇内壁面２２０に接するように陰唇２００の間に挟まれて装着されるものであり、前記長手方向の略中心軸付近の反身体側面には、当該略中心軸が前記着用者の指２３０の中心軸と一致しているかどうかを、当該着用者が判断することができる識別手段６３が形成されている。【選択図】        図１２
2006043306.tif 000002
【特許請求の範囲】
【請求項１】
体液の吸収が可能な吸収体を有する陰唇間パッドであって、
長手方向と短手方向とを有する実質的に縦長の形状をなし、着用時に身体側に対向する身体側面と、着用時に衣服側に対向する反身体側面とを備え、
前記着用時には、前記反身体側面に着用者の指を添えた状態で、前記身体側面が陰唇内壁面に接するように陰唇間に挟まれて装着されるものであり、
前記長手方向の略中心軸付近には、当該略中心軸が前記着用者の指の中心軸と一致しているかどうかを、当該着用者が判断することができる識別手段が形成されている陰唇間パッド。
【請求項２】
前記着用時には、前記長手方向の略中心軸に沿って、前記反身体側面同士が対向するように二つ折りがなされるものである請求項１記載の陰唇間パッド。
【請求項３】
前記識別手段は、視覚によって認識できるものである請求項１又は２記載の陰唇間パッド。
【請求項４】
前記視覚によって認識できる識別手段は、前記略中心軸付近と、それ以外の周辺領域との色差値が異なるものである請求項１から３いずれか記載の陰唇間パッド。
【請求項５】
前記色差値が、Ｌ＊ａ＊ｂ＊表色系におけるΔＥ＊で４以上である請求項４記載の陰唇間パッド。
【請求項６】
前記色差値が、Ｌ＊ａ＊ｂ＊表色系におけるΔＥ＊で１０以上５０以下の範囲である請求項４又は５記載の陰唇間パッド。
【請求項７】
前記視覚によって認識できる識別手段は、前記略中心軸付近と、それ以外の周辺領域との陰影又は光沢が異なるものである請求項１から３いずれか記載の陰唇間パッド。
【請求項８】
前記識別手段は、触覚によって認識できるものである請求項１又は２記載の陰唇間パッド。
【請求項９】
前記触覚によって認識できる識別手段は、前記略中心軸付近と、それ以外の周辺領域との圧縮特性が異なるものである請求項８記載の陰唇間パッド。
【請求項１０】
前記触覚によって認識できる識別手段は、前記略中心軸付近の前記吸収体に、スリット加工又はエンボス加工を施したものである請求項８又は９記載の陰唇間パッド。
【請求項１１】
前記略中心軸付近と前記周辺領域との圧縮特性の差が、ＫＥＳシステムによるＬＣ値で０．０５以上である請求項９又は１０に記載の陰唇間パッド。
【請求項１２】
前記略中心軸付近と前記周辺領域との圧縮特性の差が、ＫＥＳシステムによるＬＣ値で０．０５以上０．５以下の範囲である請求項９から１１いずれか記載の陰唇間パッド。
【請求項１３】
前記識別手段は、視覚及び触覚によって認識できるものである請求項１又は２記載の陰唇間パッド。
【請求項１４】
前記視覚及び触覚によって認識できる識別手段は、前記反身体側面における、前記略中心軸付近と、それ以外の周辺領域とで表面形状が異なるものである請求項１３記載の陰唇間パッド。
【請求項１５】
前記略中心軸付近の前記反身体側面の表面上にエンボス加工を施したものである請求項１３又は１４記載の陰唇間パッド。
【請求項１６】
前記視覚及び触覚によって認識できる識別手段は、前記反身体側面における、前記略中心軸付近と、それ以外の周辺領域との摩擦係数が異なるものである請求項１３から１５記載の陰唇間パッド。
【請求項１７】
前記略中心軸付近と前記周辺領域との摩擦係数の差が、ＫＥＳシステムによるＭＩＵ値で０．０５以上である請求項１６記載の陰唇間パッド。
【請求項１８】
前記略中心軸付近と前記周辺領域との摩擦係数の差が、ＫＥＳシステムによるＭＩＵ値で０．０５以上３．００以下の範囲である請求項１６又は１７記載の陰唇間パッド。
【発明の詳細な説明】
【技術分野】
【０００１】
本発明は、女性の陰唇間にその一部分を挟み込み、陰唇内面に当接させて装着する陰唇間パッドに関し、更に詳しくは、着用の際に、容易に陰唇間パッドと陰唇との位置関係を認識できる陰唇間パッドに関する。
【背景技術】
【０００２】
従来より、女性用生理用品として、生理用ナプキン、タンポンが一般的に用いられている。ここで、生理用ナプキンについては、膣口付近への密着性の乏しさゆえに生じる隙間からの経血の漏れを防ぐべく、多大な努力が払われている。また、タンポンについても、その物品の属性に起因して、着用時の異物感や不快感、膣内への装着困難性を生じることから、これらを除去するために種々の工夫が行なわれている。
【０００３】
このような状況下、生理用ナプキンやタンポンの中間に位置する生理用品として、近年、陰唇間パッドと称される生理用品が注目されるようになってきている。この陰唇間パッドは、女性の陰唇間にその一部分を挟み込み、陰唇内面に当接させて装着する。従って、陰唇間パッドは、生理用ナプキンに比して身体との密着性が高いために経血の漏れが防止されるとともに、経血が拡散して身体に広く接することを防ぐために衛生的かつ清潔である。また、生理用ナプキンよりも小型であるために、装着感に優れて快適であり、膣内に挿入するタンポンに比べて着用時の心理抵抗も低いという特徴を有している。
【０００４】
このような特徴を有する陰唇間パッドとして、種々の構造を有するものが開発されており、例えば、下記の特許文献１には、陰唇間パッドの反身体側面に指の腹が接するようにして指を挿入できる指挿入用口及びそれに繋がる指挿入用洞を設け、かつ、指挿入用洞内に指の更なる挿入を妨げるストッパーを陰唇間パッドの装着操作に有効な位置に設けることにより、陰唇間パッドに対する指の位置関係を安定させた状態で、陰唇間への装着をスムーズに行うことを可能とした陰唇間パッドが開示されている。
【特許文献１】国際公開第ＷＯ０２／０９４１５０号パンフレット
【発明の開示】
【発明が解決しようとする課題】
【０００５】
上記の特許文献１における陰唇間パッドは、指挿入規制部が、陰唇間パッドの指の挿入方向に対向して設けられている。すなわち、指挿入規制部は、パッドの長手方向、つまり、前後方向にしか設けられていない。
【０００６】
したがって、着用者が、陰唇間パッドの反身体側面に指を添えた状態で、身体側面が陰唇内壁面に接するように陰唇間に挟んで装着する際、指がパッドの長手中心軸から左右にずれてしまい、正確に陰唇内に装着できない恐れがあるという問題がある。また、パッドの中心軸を認識できるような手段は検討されていないので、着用者は、指の中心軸とパッドの長手中心軸とが一致する位置に確保されているか否かを判断することもできない。
【０００７】
本発明は、以上のような課題に鑑みてなされたものであり、その目的は、容易に陰唇間パッドと陰唇との位置関係を認識できる陰唇間パッドを提供することを目的とする。
【課題を解決するための手段】
【０００８】
より具体的には、本発明は、以下の構成からなる陰唇間パッドを提供する。
【０００９】
（１）  体液の吸収が可能な吸収体を有する陰唇間パッドであって、長手方向と短手方向とを有する実質的に縦長の形状をなし、着用時に身体側に対向する身体側面と、その反対面側に位置する反身体側面とを備え、前記着用時には、前記反身体側面に着用者の指を添えた状態で、前記身体側面が陰唇内壁面に接するように陰唇間に挟まれて装着されるものであり、前記長手方向の略中心軸付近には、当該略中心軸が前記着用者の指の中心軸と一致しているかどうかを、当該着用者が判断することができる識別手段が形成されている陰唇間パッド。
【００１０】
（１）の陰唇間パッドによれば、陰唇間パッドの長手方向の略中心軸付近には、当該略中心軸が前記着用者の指の中心軸と一致しているかどうかを、当該着用者が判断することができる識別手段が設けられているので、この識別手段によって、着用時に指がパッドの長手中心軸から左右にずれてしまうことを防止でき、正確に陰唇内に装着することができる。ここで、陰唇間パッドの長手方向の略中心軸付近とは、中心軸を含み、中心軸の両側の平行な二直線で分画された領域である。また、この略中心軸付近は厚み方向に制限はなく、表面シート、吸収体、裏面シートのいずれも含まれる。なお、本発明における陰唇間パッドは必ずしも表面シートや裏面シートは必要でなく、吸収体のみで構成されていてもよい。
【００１１】
（２）前記着用時には、前記長手方向の略中心軸に沿って、前記反身体側面同士が対向するように二つ折りがなされるものである（１）記載の陰唇間パッド。
【００１２】
（２）の陰唇間パッドは、長手方向の略中心軸に沿って、前記反身体側面同士が対向するように二つ折りがなされて着用されるものである。このような（２）の陰唇間パッドであれば、折り目線が略中心軸付近に含まれ、着用者は容易に略中心軸付近を認識でき、陰唇間パッドと陰唇との位置関係を把握することができる。
【００１３】
（３）前記識別手段は、視覚によって認識できるものである（１）又は（２）記載の陰唇間パッド。
【００１４】
（３）の陰唇間パッドは、識別手段が視覚によって認識できるものであることを特徴とする。具体的には、着用者が視覚により周辺領域とは異なる領域であることを認識できるものである。このような（３）の陰唇間パッドによれば、着用者は、略中心軸付近を視覚により認識でき、陰唇間パッドと陰唇との位置関係を容易に把握することができる。
【００１５】
（４）前記視覚によって認識できる識別手段は、前記略中心軸付近と、それ以外の周辺領域との色差値が異なるものである（１）から（３）いずれか記載の陰唇間パッド。
【００１６】
（４）の陰唇間パッドは、識別手段として、略中心軸付近と、それ以外の周辺領域との間に色差を設けたものである。このような（４）の陰唇間パッドによれば、着用者は、略中心軸付近を視覚により認識でき、陰唇間パッドと陰唇との位置関係を容易に把握することができる。
【００１７】
（５）前記色差値が、Ｌ＊ａ＊ｂ＊表色系におけるΔＥ＊で４以上である（４）記載の陰唇間パッド。
【００１８】
（５）の陰唇間パッドは、識別手段として、略中心軸付近と、それ以外の周辺領域との間に色差が設けられたものであって、且つ、その色差がＬ＊ａ＊ｂ＊表色系におけるΔＥ＊で４以上であるものである。このように、略中心軸付近と、それ以外の周辺領域との間に十分な色差を設けることによって、一層容易に略中心軸付近を視覚により認識できる。
【００１９】
（６）前記色差値が、Ｌ＊ａ＊ｂ＊表色系におけるΔＥ＊で１０以上５０以下の範囲である（４）又は（５）記載の陰唇間パッド。
【００２０】
（６）の陰唇間パッドでは、略中心軸付近と、それ以外の周辺領域との色差がＬ＊ａ＊ｂ＊表色系におけるΔＥ＊で１０以上５０以下である。このように、ヒトが十分に視覚で認識できる色差を、略中心軸付近と周辺領域との間に設けた（６）の陰唇間パッドによれば、さらに容易に略中心軸付近を視覚により認識できる。
【００２１】
（７）前記視覚によって認識できる識別手段は、前記略中心軸付近と、それ以外の周辺領域との陰影又は光沢が異なるものである（１）から（３）いずれか記載の陰唇間パッド。
【００２２】
（７）の陰唇間パッドでは、略中心軸付近と周辺領域との間で、色差以外の視覚により認識できる加工、例えば、目視可能な陰影や光沢が現れるような折り加工あるいはエンボス加工を施したものである。この（７）の陰唇間パッドによっても容易に略中心軸付近を視認できる。
【００２３】
（８）前記識別手段は、触覚によって認識できるものである（１）又は（２）記載の陰唇間パッド。
【００２４】
（８）の陰唇間パッドは、識別手段が触覚によって認識できるものであることを特徴とする。この（８）の陰唇間パッドによれば、着用者は、略中心軸付近を触覚により容易に認識でき、陰唇間パッドと陰唇との位置関係を把握することができる。
【００２５】
（９）前記触覚によって認識できる識別手段は、前記略中心軸付近と、それ以外の周辺領域との圧縮特性が異なるものである（８）記載の陰唇間パッド。
【００２６】
（９）の陰唇間パッドの識別手段は、略中心軸付近と周辺領域との圧縮特性が異なるものである。具体的には、着用者が指の触覚により周辺領域とは異なる領域であることを認識できるように、圧縮特性が周辺領域と異なるものである。この（９）の陰唇間パッドによれば、より容易に略中心軸付近を触覚により認識でき、陰唇間パッドと陰唇との位置関係を把握することができる。
【００２７】
（１０）前記触覚によって認識できる識別手段は、前記略中心軸付近の前記吸収体に、スリット加工又はエンボス加工を施したものである（８）又は（９）記載の陰唇間パッド。
【００２８】
（１０）の陰唇間パッドの識別手段は、略中心軸付近の前記吸収体にスリット加工又はエンボス加工が施されたものである。スリット加工又はエンボス加工を施すことによって、略中心軸付近と周辺領域との圧縮特性に差を設けることが可能となるので、この（１０）の陰唇間パッドによれば、略中心軸付近を触覚によりさらに容易に認識できる。
【００２９】
（１１）前記略中心軸付近と前記周辺領域との圧縮特性の差が、ＫＥＳシステムによるＬＣ値で０．０５以上である（９）又は（１０）に記載の陰唇間パッド。
【００３０】
（１２）前記略中心軸付近と前記周辺領域との圧縮特性の差が、ＫＥＳシステムによるＬＣ値で０．０５以上０．５以下の範囲である（９）から（１１）いずれか記載の陰唇間パッド。
【００３１】
（１１）の陰唇間パッドは、略中心軸付近と周辺領域との圧縮特性の差が、ＫＥＳシステムによるＬＣ値で０．０５以上のものであり、（１２）の陰唇間パッドでは、０．０５以上０．５以下の範囲である。この（１１）及び（１２）の陰唇間パッドによれば、略中心軸付近と周辺領域との圧縮特性に充分な差があるので、略中心軸付近を触覚により容易に認識できる。ＬＣ値の差が０．０５未満の場合、中心軸付近と周辺領域における指の沈み込み度合いに大きな違いが生じないため、指の触覚により中心軸を認識するのは困難である。ＬＣ値の差が０．０５を超える場合、陰唇間パッドに圧縮剛さの高い領域を設けることとなり、着用者に異物感を与えるため好ましくない。
【００３２】
（１３）前記識別手段は、視覚及び触覚によって認識できるものである（１）又は（２）記載の陰唇間パッド。
【００３３】
（１３）の陰唇間パッドの識別手段は、視覚及び触覚によって認識できるものであることを特徴とする。このような（１３）の陰唇間パッドによれば、着用者は、略中心軸付近を視覚及び触覚の双方により認識できるので、陰唇間パッドと陰唇との位置関係をより的確に把握することができる。
【００３４】
（１４）前記視覚及び触覚によって認識できる識別手段は、前記反身体側面における、前記略中心軸付近と、それ以外の周辺領域とで表面形状が異なるものである（１３）記載の陰唇間パッド。
【００３５】
（１４）の陰唇間パッドの識別手段は、略中心軸付近と周辺領域とで表面形状が異なるものである。表面形状を異なるものとすることにより、着用者は、略中心軸付近を視覚及び触覚により認識でき、陰唇間パッドと陰唇との位置関係を把握することができる。
【００３６】
（１５）前記略中心軸付近の前記反身体側面の表面上にエンボス加工を施したものである（１３）又は（１４）記載の陰唇間パッド。
【００３７】
（１５）の陰唇間パッドの識別手段は、略中心軸付近の反身体側面の表面上にエンボス加工を施したものである。エンボス加工を施すことにより表面形状を異なるものとすることができるため、着用者は、略中心軸付近を視覚及び触覚により認識でき、陰唇間パッドと陰唇との位置関係を把握することができる。また、エンボス加工は製造ライン中で容易に行うことができるので、製造工程を増やさずに識別手段を形成できる。
【００３８】
（１６）前記視覚及び触覚によって認識できる識別手段は、前記反身体側面における、前記略中心軸付近と、それ以外の周辺領域との摩擦係数が異なるものである（１３）から（１５）記載の陰唇間パッド。
【００３９】
（１６）の陰唇間パッドの識別手段は、反身体側面における略中心軸付近と、それ以外の周辺領域との摩擦係数が異なるものである。摩擦係数を異なるものとすることにより、着用者が指を添えた際の滑り具合が変化するので、特に触覚によって略中心軸付近を容易に認識できる。
【００４０】
（１７）前記略中心軸付近と前記周辺領域との摩擦係数の差が、ＫＥＳシステムによるＭＩＵ値で０．０５以上である（１６）記載の陰唇間パッド。
【００４１】
（１８）前記略中心軸付近と前記周辺領域との摩擦係数の差が、ＫＥＳシステムによるＭＩＵ値で０．０５以上３．００以下の範囲である（１６）又は（１７）記載の陰唇間パッド。
【００４２】
（１７）の陰唇間パッドでは、略中心軸付近と周辺領域との摩擦係数の差が、ＫＥＳシステムによるＭＩＵ値で０．０５以上であり、（１８）の陰唇間パッドでは、０．０５以上３．００以下の範囲である。上記の数値範囲で、略中心軸付近と周辺領域との間に摩擦係数の差を設けることにより、滑り具合が特に大きく変化するので、着用者は、さらに容易に略中心軸付近を視覚及び触覚により認識でき、陰唇間パッドと陰唇との位置関係を把握することができる。摩擦係数の差が０．０５未満である場合には、指の触覚により略中心軸付近と周辺領域との差を認識するのが困難であり、３．００以上である場合には、指へ過剰な摩擦や刺激を与えてしまう。
【発明の効果】
【００４３】
本発明によれば、容易に陰唇間パッドと陰唇との位置関係を認識できる陰唇間パッドを提供することができる。
【発明を実施するための最良の形態】
【００４４】
以下、本発明の実施形態について、図面を参照しながら説明する。なお、各実施形態の説明において、基本構成と共通するものについては同一符号を付し、その説明を省略若しくは簡略化する。
【００４５】
＜基本構成＞
本発明に係る陰唇間パッド１１０の斜視図を図１に示す。また、図１におけるＸ１−Ｘ２線に沿った断面図を図２に示す。図１及び図２に示すように、本発明に係る陰唇間パッド１１０は、実質的に縦長であり、長手方向と短手方向とを有する形状である。陰唇間パッド１１０は、周縁部１８と、表面シート１５と、裏面シート１６とを有しており、表面シート１５と裏面シート１６との間には吸収体１７が配置されている。表面シート１５は、着用時に身体側に位置するものであり、着用者の体液を透過する液透過性のものである。裏面シート１６は、着用時に反身体側に位置するものであり、着用者の体液を実質的に透過しない液難透過性のものである。また、陰唇間パッド１１０は、識別手段が設けられ、且つ、長手方向の略中心軸１２を含む略中心軸付近１３と、この略中心軸付近１３を除く周辺領域１４とを有している。なお、本発明における陰唇間パッドは必ずしも表面シートや裏面シートは必要でなく、吸収体のみで構成されていてもよい。
【００４６】
［表面シート］
一般的に表面シート１５は、液透過性且つ液親水性であり、肌に刺激を与えない素材が好ましく用いられる。例えば、ポイントボンド、エアースルー等の製造方法から得られる不織布を、単独又は複合した材料等が用いられる。これらの材料のうち、陰唇間パッド１２０と陰唇内壁との間にずれが生じ、着用者が異物感を感じることを防ぐために、セルロース系の液親水性繊維を主体としたものがより好ましい。
【００４７】
具体的には、天然コットン５％以上３０％以下、レーヨン又はアセテートレーヨンを７０％以上９５％以下の比率で混合した繊維を、目付が２０ｇ／ｍ２以上５０ｇ／ｍ２以下の範囲内で調製した後、水流交絡により繊維同士を絡合させて乾燥し、厚みが０．３ｍｍ以上１．０ｍｍ以下の範囲内で調製されたスパンレース不織布が用いられる。使用する糸質は、天然コットンであれば１５ｍｍ以上６０ｍｍ以下の範囲内、レーヨン又はアセテートレーヨンであれば２５ｍｍ以上５１ｍｍ以下の範囲内で、１．１ｄｔｅｘ以上６．６ｄｔｅｘ以下の範囲内のものである。また、透過孔を有するフィルムや繊維層にフィルムをラミネート加工したシートを用いてもよい。
【００４８】
［裏面シート］
裏面シート１６には難透水性の材料が用いられ、例えば、厚さ１５μｍ以上６０μｍ以下のポリエチレン、ポリプロピレン、ポリエチレンテレフタレート、ポリビニルアルコール、ポリ乳酸、ポリブチルサクシネート、不織布、紙、これらのラミネート材料等が挙げられる。また、フィルム材料に無機フィラーを含有させて、延伸処理した通気性フィルムを用いてもよい。
【００４９】
具体的には、低密度ポリエチレン（ＬＤＰＥ）樹脂を主体とし、孔径が０．１ｍｍ以上０．６ｍｍ以下、目付が１５ｇ／ｍ２以上３５ｇ／ｍ２以下の範囲で、１０％以上３０％以下の開孔を有するフィルムが挙げられる。また、不織布として、スパンボンド不織布、スルーエア不織布、ポイントボンド不織布等を用いることができる。これらに撥水処理が施されてあってもよい。なかでも極細繊維で構成され、繊維間距離が非常に小さいメルトブローンを含むＳＭＳ（スパンボンド／メルトブローン／スパンボンド）不織布であることが好ましい。この場合、目付はスパンボンド層５〜１５ｇ／ｍ２、メルトブローン層１〜ｌ０ｇ／ｍ２、スパンボンド層５〜１５ｇ／ｍ２の範囲で構成されることが好ましい。
【００５０】
［略中心軸付近及び周辺領域］
略中心軸付近１３とは、略中心軸１２を含み、この略中心軸１２の両側の平行な二直線で分画された領域である。この二直線間の距離は特に限定されないが、短手方向の最大幅未満であり、好ましくは図１における角度２θが９０度未満となるように設定される。なお、θは、中心軸１２と、陰唇間パッド１１０の重心点Ｇから周縁部へ伸びる直線とのなす角であり、この直線と周縁部との交点Ｐ１、Ｐ２を通るように、前記平行な二直線が規定される。この略中心軸付近１３には、後述する種々の識別手段が設けられ、略中心軸付近１３を除く領域が周辺領域１４である。
【００５１】
＜第１実施形態＞
本実施形態に係る陰唇間パッド１２０を身体面側から見た斜視図を図３に示す。本実施形態に係る陰唇間パッド１２０は、略中心軸付近１３における表面シート１５の少なくとも一方の側に識別手段２３が設けられたものであり、他の構成は基本構成と同様である。ここで、少なくとも一方の側とは、着用時に身体側に位置する側と反身体側に位置する側のうち、少なくとも一方の側を意味する。この識別手段２３は、着用者が視覚により周辺領域１４とは異なる領域であることを認識できるように、着色されて周辺領域１４に対して色差を有したものである。具体的な着色方法としては、繊維の原材料である樹脂に顔料を混合して繊維自体を着色する方法の他、表面シート１５に顔料を印刷する方法や顔料を混合したホットメルト接着剤を表面シート１５に塗布する方法等が挙げられる。また、識別手段２３は着色されたものに限られず、視覚により色差を認識できる加工、例えば、目視可能な陰影や光沢が現れるような、折り加工あるいはエンボス加工が施されたものであってもよい。
【００５２】
色差については、色差測定試験（ＪＩＳ  Ｋ７１０５参照）により、３刺激値Ｘ、Ｙ、Ｚから数量的に求めることができる。測定機器としては、例えば、日本電色工業株式会社製の測色色差計「ＺＥ−２０００」を用いることができる。試験片は５×５ｃｍのものを準備し、試料の裏打ちには常用標準白色板を用いることができる。色差は、Ｌ＊ａ＊ｂ＊、Ｌ＊ｕ＊ｖ＊、又は、Ｌａｂが使用されるが、最も一般的に使用されるＬ＊ａ＊ｂ＊系の色差式によるものが好ましい。ただし、他の色差式を用いてもよい。Ｌ＊、ａ＊、ｂ＊の値は、三刺激値Ｘ、Ｙ、Ｚから次式により求めることができる。なお、次式におけるΔＥは色差を表しており、Ｘｏ、Ｙｏ、Ｚｏは、標準白色板の３刺激値の値で、具体的には、Ｘｏ＝９７．１９、Ｙｏ＝９９．１６、Ｚｏ＝１１７．２７である。
【００５３】
Ｌ＊＝１１６（Ｙ／Ｙｏ）１／３−１６  ・・・（数式１）
ａ＊＝５００（（Ｘ／Ｘｏ）１／３−（Ｙ／Ｙｏ）１／３）  ・・・（数式２）
ｂ＊＝２００（（Ｙ／Ｙｏ）１／３−（Ｚ／Ｚｏ）１／３）  ・・・（数式３）
ΔＥ＊ａｂ＝（（ΔＬ＊）２＋（Δａ＊）２＋（Δｂ＊）２）１／２  ・・・（数式４）
【００５４】
以下に具体的な例を挙げて説明する。例えば、識別手段２３として、長手方向の略中心軸付近１３における表面シート１５に、顔料を混合したホットメルト接着剤を塗布した場合において、略中心軸付近１３のＬ＊、ａ＊、ｂ＊の値、及び、周辺領域１４のＬ＊、ａ＊、ｂ＊の値を表１に示す。
【００５５】
【表１】
2006043306.tif 000003
【００５６】
表１に示すＬ＊、ａ＊、ｂ＊の値と数式４とから、略中心軸付近１３と周辺領域１４との色差ΔＥは、１８．５６と求めることができる。このように、略中心軸付近１３と周辺領域１４との色差ΔＥは、４以上であることが好ましい。さらには、ヒトが視覚により色差を認識するためには、ΔＥ＝１０以上であることが好ましいため、略中心軸付近１３と周辺領域１４との色差ΔＥは、１０以上５０以下の範囲であることが好ましい。
【００５７】
［作用・効果］
陰唇間パッド１２０の略中心軸付近１３における表面シート１５の少なくとも一方の側に設けられた識別手段２３は、周辺領域１４に対して色差を有しているため、先ず、着用者は、指を陰唇間パッド１２０に置く前の段階、例えば、陰唇間パッド個包装開封時や陰唇間パッド１２０の確認時に、略中心軸付近１３を視認することができる。次いで、着用者は、陰唇間パッド１２０を指で確保する前の操作段階において、視覚により指を置く位置である略中心軸付近１３を認識することができる。このため、着用者は、最小限の動作で陰唇間パッド１２０の略中心軸付近１３に指を置くことができ、指の不必要な置き間違いによる陰唇間パッド１２０の異変形を防ぐことができる。また、陰唇間パッド１２０の略中心軸付近１３と前庭床とを一致させた状態で装着することができる。さらには、陰唇間パッド１２０は、ヨレ、しわ等の変形を生じないため、陰唇間に装着した時に、陰唇内壁との隙間が生じ難くなり、隙間からの経血漏れを防ぐことができる。
【００５８】
［変形例１］
本実施形態の変形例１である陰唇間パッド１３０を反身体側から見た斜視図を図４に示す。図４に示すように、陰唇間パッド１３０は、識別手段３３が裏面シート１６の少なくとも一方の側に設けられたものである。このような構成を採用した陰唇間パッド１３０によれば、本実施形態と同等の効果を奏することができる。
【００５９】
［変形例２］
本実施形態の変形例２である陰唇間パッド１４０について、図１におけるＸ１−Ｘ２線に沿った断面図を図５に示す。図５に示すように、陰唇間パッド１４０は、識別手段４３が陰唇間パッド１４０に内包される領域に設けられたものである。具体的には、識別手段４３が裏面シート１６と吸収体１７との境界に配置されたものである。あるいは、表面シート１５と吸収体１７との境界に配置されたものであってもよい。表面シート１５と吸収体１７の境界とは、表面シート１５の裏面または吸収体表面に配置されていることであり、裏面シート１６と吸収体の境界とは、裏面シート１６の表面（吸収体側）または吸収体裏面（裏面シート側）に配置されていることである。このように内部に識別手段４３が設けられ、識別手段４３が表面シート１５または裏面シート１６を透過して、着用者に目視可能なものであると、例えば着色剤が肌に触れないため、衛生的である。このような構成を採用した陰唇間パッド１４０によれば、本実施形態と同等の効果を奏することができる。
【００６０】
［変形例３］
本実施形態の変形例３である陰唇間パッド１７０を、身体側から見た斜視図を図６に示す。図６に示すように、陰唇間パッド１７０は、識別手段７３が、表面シート１５の装着時に膣口付近に当接する部分に設けられている。そのため、着用者は、装着前に陰唇間パッド１７０と膣口を接触させる位置を視覚により認識することができる。具体的には、陰唇間パッド１７０の中心軸上、好ましくは、陰唇間パッド全長において、前方から約７０％後進した位置に設けられている。識別手段７３の設けられる領域は、円形、楕円形、四角形、多角形などが挙げられるが、特に膣口と相似した直径１０〜２０ｍｍの円形が好ましい。表面シート１５の中心軸上に設ける膣口当接領域の識別手段７３は、着色加工、エンボス加工などが挙げられるが、皮膚に接触する部分であるため、化学物質を使用しないエンボス加工の方が好ましい。エンボスの配列は、千鳥状、格子状、波状など特に限定しない。開孔の形状については、丸型、楕円型、四角型などが挙げられる。また、識別手段７３は、裏面シート１６に施されていてもよい。
【００６１】
このような識別手段７３の例としては、全長１１０ｍｍの陰唇間パッドにおいて、目付３５ｇ／ｍ２の表面シートの中心軸上に、パッド前方先端から７５ｍｍの位置を中心点とした直径１５ｍｍの円形を、直径０．５ｍｍ丸型の開孔ピンエンボス加工により施したものが挙げられる。
【００６２】
＜第二実施形態＞
本実施形態に係る陰唇間パッド１５０は、第一実施形態に係る陰唇間パッド１２０と比較して、識別手段が異なる以外は同様の構成である。陰唇間パッド１５０の装着前の状態を示す概略図を図７に示す。図７に示すように、陰唇間パッド１５０は、長手方向の略中心軸付近１３に識別手段５３が設けられており、この識別手段５３は、着用者が指２３０の触覚により周辺領域１４とは異なる領域であることを認識できるように、圧縮特性が周辺領域１４と異なるものとなっている。圧縮特性については、ＬＣ（圧縮特性の直線性）によって規定され、識別手段５３と周辺領域１４との圧縮特性の差は、ＬＣの差が０．０５以上であるのが好ましい。さらに好ましくは、０．０５以上０．５以下の範囲である。
【００６３】
圧縮特性ＬＣ値の測定は、ＫＥＳシステムによる測定方法に準拠して、カトーテック社製の測定機器「ＫＥＳ−５  ＨＡＮＤＹ−ＴＹＰＥ  ＣＯＭＰＲＥＳＳＩＯＮ  ＴＥＳＴＥＲ」を用いて、荷重５０ｇ／ｃｍ２、圧縮端子面積２ｃｍ２、端子速度０．１ｃｍ／ｓｅｃの条件下で行われる。ＫＥＳの圧縮特性を示す図が図８であり、横軸は加圧時のサンプルの厚み（ｍｍ）であり、縦軸はサンプルに対して加えた圧力(ｇ／ｃｍ２)である。図８における曲線ｄは、サンプルに圧力を加えていく過程における圧力とサンプルの厚みとの関係をプロットしたものであり、曲線ｅはサンプルに加えた圧力を徐々に開放していく過程における圧力とサンプルの厚みとの関係をプロットしたものである。この図７において、曲線ｄと曲線ｅに囲まれた領域Ｄの面積と、曲線ｅと直線ＡＣおよび直線ＢＣで囲まれた領域Ｅとの面積との和を三角形ＡＢＣの面積で割った値がＬＣに相当する。試験片のサイズは、圧縮端子が収まる範囲のものであれば測定可能であり、特に限定されない。例えば、３０×３０ｍｍのサイズの試験片が用いられる。
【００６４】
具体的には、識別手段５３は、陰唇間パッド１５０の長手方向の略中心軸付近１３における吸収体１７に、レーヨン８５％、コットン１５％の混合素材（目付が１８０ｇ／ｍ２）を用いたものである。これに対して、周辺領域１４における吸収体１７には、コットン１００％の素材（目付が３６０ｇ／ｍ２）が用いられている。この陰唇間パッド１５０の長手方向の略中心軸付近１３と周辺領域１４のＬＣ値を、ＫＥＳシステムによる測定方法に準拠して測定した値を表２に示す。なお、この測定サンプルは、中心軸と周辺領域の厚みが均一であるが、密度が異なるものである。この場合、圧縮剛さＬＣ値が異なる材料であるので好ましい。他のサンプルとしては、中心軸と周辺領域の密度が均一であるが、厚みが異なるものが挙げられる。
【００６５】
【表２】
2006043306.tif 000004
【００６６】
表２に示す通り、略中心軸付近１３のＬＣ値は、０．４０９であるのに対して、周辺領域１４のＬＣ値は、０．５５４である。従って、略中心軸付近１３と周辺領域１４との圧縮特性（ＬＣ値）の差は０．１４５であり、略中心軸付近１３の方が柔らかい。このため、着用者は、指２３０の触覚により略中心軸付近１３を認識することができる。
【００６７】
［作用・効果］
陰唇間パッド１５０の長手方向の略中心軸付近１３には識別手段５３が設けられているため、周辺領域１４とは異なる圧縮特性を有している。陰唇間パッド１５０の装着状態を示す概略図を図９に示す。図９から明らかであるように、略中心軸付近１３は周辺領域１４と比較して圧縮し易いため、着用者は、前庭床２１０に沿って陰唇間パッド１５０を陰唇２００内に装着させる操作段階において、指２３０の触覚により長手方向の略中心軸付近１３を認識することができる。従って、着用者は、確実に指２３０を長手方向の略中心軸付近１３に置くことができるため、識別手段５３が設けられた略中心軸付近１３と前庭床２１０とを一致させた状態で装着することができる。また、着用者は、指２３０を陰唇間パッド１５０から外す際にも、略中心軸付近１３を認識できるので、陰唇間パッド１５０の装着位置が前庭床２１０に対して前後、左右にずれていないかどうかを再確認することができる。このため、陰唇内壁２２０と陰唇間パッド１５０との間に隙間が生じ難くなり、隙間からの経血漏れを防ぐことができる。さらには、陰唇間パッド１５０から指２３０を外す段階においても、圧縮特性の差を指の触覚により認識して、指を長手方向の略中心軸付近１３に沿わせながら外すことができる。
【００６８】
［変形例１］
本実施形態の変形例１の識別手段は、周辺領域１４の吸収体１７に施されるスリットパターンとは異なるスリットパターンを、長手方向の略中心軸付近１３の吸収体１７に施したものである。これらのスリットパターンは、長手方向に向かうパターン、短手方向へ向かうパターン、それぞれが交差したパターン、または、組み合わされているパターン等が挙げられる。スリットの長さは、１ｍｍ〜１０ｍｍが好ましく、スリット間隔は１ｍｍ〜２０ｍｍが好ましい。スリットが施されるのは、長手方向の略中心軸付近１３と周辺領域１４の少なくとも一方である。より好ましいのは、長手方向の略中心軸付近１３だけに交差したスリットパターンを施したものである。このような変形例１によれば、着用者は、陰唇間パッドに触れたときに、スリットによる圧縮特性の差を指２３０の触覚で認識できるため、本実施形態と同等の効果を奏することができる。
【００６９】
［変形例２］
本実施形態の変形例２の識別手段は、周辺領域１４の吸収体１７に施されるエンボスパターンとは異なるエンボスパターンを、長手方向の略中心軸付近１３の吸収体１７に施したものである。エンボスパターンとしては、線状、点状、円状、多角形状等が挙げられる。エンボスが施されるのは、長手方向の略中心軸付近１３と周辺領域１４の少なくとも一方である。より好ましいのは、長手方向の略中心軸付近１３だけに交差したエンボスパターンを施したものである。このような変形例２によれば、着用者は、陰唇間パッドに触れたときに、エンボスによる圧縮特性の差を指２３０の触覚で認識できるため、本実施形態と同等の効果を奏することができる。
【００７０】
＜第三実施形態＞
本実施形態に係る陰唇間パッド１６０は、第一実施形態及び第二実施形態と比較して、識別手段が異なる以外は同様の構成である。本実施形態に係る陰唇間パッド１６０を反身体面側から見た斜視図を図１０に示す。また、図１０におけるＸ３−Ｘ４線に沿った断面図を図１１に示す。陰唇間パッド１６０は、長手方向の略中心軸付近１３における裏面シート１６に識別手段６３が設けられており、この識別手段６３は、着用者が視覚及び触覚により周辺領域１４とは異なる領域であることを認識できるように、摩擦係数（ＭＩＵ）が周辺領域１４と異なるものである。
【００７１】
具体的には、陰唇間パッド１６０では、長手方向の略中心軸付近１３における裏面シート１６にエンボス加工が施されている。エンボス加工で施される表面の凹凸パターンは、特に限定されず、綿状、ドット状、多面体状等であってよい。長手方向の略中心軸付近１３にエンボス加工を施すことにより、周辺領域１４とは摩擦係数が異なるものとなる。具体的には、略中心軸付近１３と周辺領域１４との摩擦係数の差が０．０５以上であることが好ましく、０．０５〜３．００の範囲であることがさらに好ましい。摩擦係数の差が０．０５未満である場合には、指２３０の触覚により略中心軸付近１３と周辺領域１４との差を認識するのが困難であり、３．００以上である場合には、指２３０へ過剰な摩擦や刺激を与えてしまう。
【００７２】
摩擦係数は、摩擦係数試験ＪＩＳ  Ｋ７１２５に準拠して、カトーテック社製の測定機器「ＫＥＳ−ＦＢ４Ｓ」により測定を行い、次式を用いることによって求めることができる。なお、次式におけるμｓは静摩擦係数、Ｆｓは摩擦力  Ｎ（ｋｇｆ）、Ｆｐは接触力  Ｎ（ｋｇｆ）を表す。また、本発明における摩擦係数は、静摩擦係数を意味する。
μｓ＝Ｆｓ／Ｆｐ
【００７３】
例えば、素材として、厚みが０．１２ｍｍのポリエチレン（２３．５ｇ／ｍ２）を用い、この素材にエンボス率の異なるエンボス加工を施したときの静摩擦係数は、表３に示す通りである。また、エンボス加工を施さない領域の静摩擦係数は０．２８７であり、エンボス加工を施した領域と施していない領域との静摩擦係数の差を併せて表３に示す。
【００７４】
【表３】
2006043306.tif 000005
【００７５】
表３に示すように、エンボス率０％、即ち、エンボス加工を施していない領域と、エンボス加工を施した領域の静摩擦係数の差はいずれも、０．０５以上であり、明らかに両者間で差が認められる。このため、長手方向の略中心軸付近１３は滑り難く、ザラツキ感があるため、着用者は、指２３０の触覚によりエンボス加工された略中心軸付近１３を認識することができる。
【００７６】
［作用・効果］
本実施形態に係る陰唇間パッド１６０の装着状態を示す斜視図を図１２に、装着前の状態を示す概略図を図１３に、装着状態を示す概略図を図１４に示す。本実施形態に係る陰唇間パッド１６０は、長手方向の略中心軸付近１３における裏面シート１６にエンボス加工が施されて、識別手段６３が形成されており、略中心軸付近１３と周辺領域１４とでは異なる表面形状を有するため、着用者は陰唇間パッド１６０を指２３０で確保する前の操作段階において、視覚により指２３０を置く位置である長手方向の略中心軸付近１３を認識することができる。このため、少ない動作で陰唇間パッド１６０の長手方向の略中心軸付近１３に指２３０を置くことができ、指２３０の不必要な置き間違いから生じる陰唇間パッド１６０の異変形を防ぐことができる。また、着用者は前庭床２１０に沿って陰唇間パッド１６０を装着させる前の操作段階において、指２３０の触覚により長手方向の略中心軸付近１３を認識することができる。このため、陰唇間パッド１６０の長手方向の略中心軸付近１３と前庭床２１０を一致させて装着することができる。従って、陰唇内壁２２０との隙間が生じにくくなり、隙間からの経血漏れを防ぐことができる。さらに、着用者はパッドから指２３０を外す段階においても、表面形状の差を認識しながら指２３０を陰唇間パッド１６０から外していくことができ、より確実に陰唇間パッド１６０を装着することができる。
【００７７】
［変形例］
なお、本実施形態における識別手段６３として、長手方向の略中心軸付近１３と周辺領域１４との間に摩擦係数の差を施す方法としては、領域によって異なる材料を用いる方法の他、粒子状物質を付与する方法等が挙げられる。また、凸部を指２３０で触れたときに、圧縮されて潰れる構造とする等、表面形状を異なるものとする方法であってもよい。裏面シート１６の表面形状は、長手方向の略中心軸付近１３と周辺領域１４との表面物性が異なるのであれば、限定されるものではない。例えば、表面形状を決定する物性としては、表面摩擦、色差、圧縮特性、曲げ特性、剛軟度、熱特性、水蒸気透過性等が挙げられる。即ち、長手方向の略中心軸付近１３と周辺領域１４の表面形状における、それぞれの領域が上記物性値のうち、１つ以上の異なる物性値を有していればよい。但し、ヒトの感覚器官により、これらの物性値の差を認識できるものであることが好ましい。
【産業上の利用可能性】
【００７８】
本発明は、女性の陰唇間にその一部分を挟み込み、陰唇内面に当接させて装着する陰唇間パッドとして使用することができる。
【図面の簡単な説明】
【００７９】
【図１】本発明の陰唇間パッドの全体構成を示す斜視図である。
【図２】図１におけるＸ１−Ｘ２線に沿った断面図である。
【図３】本発明の第１実施形態に係る陰唇間パッドを示す、身体面側から見た斜視図である。
【図４】本発明の第１実施形態に係る陰唇間パッドの他の例を示す、反身体面側から見た斜視図である。
【図５】本発明の第１実施形態に係る陰唇間パッドの更に他の例を示す、図１におけるＸ１−Ｘ２線に沿った断面図である。
【図６】本発明の第１実施形態に係る陰唇間パッドの更に他の例を示す、身体面側から見た斜視図である。
【図７】本発明の第２実施形態に係る陰唇間パッドの装着前の状態を示す概略図である。
【図８】本発明の第２実施形態に係る陰唇間パッドのＫＥＳ圧縮特性を示す図表である。
【図９】本発明の第２実施形態に係る陰唇間パッドの装着状態を示す概略図である。
【図１０】本発明の第３実施形態に係る陰唇間パッドを示す、反身体面側から見た斜視図である。
【図１１】図１０におけるＸ３−Ｘ４線に沿った断面図である。
【図１２】本発明の第３実施形態に係る陰唇間パッドの装着状態を示す斜視図である。
【図１３】本発明の第３実施形態に係る陰唇間パッドの装着前の状態を示す概略図である。
【図１４】本発明の第３実施形態に係る陰唇間パッドの装着状態を示す概略図である。
【符号の説明】
【００８０】
１２  略中心軸
１３  略中心軸付近
１４  周辺領域
１５  表面シート
１６  裏面シート
１７  吸収体
１８  周縁部
２３、３３、４３、５３、６３、７３  識別手段
１１０、１２０、１３０、１４０、１５０、１６０、１７０  陰唇間パッド
２００  陰唇
２１０  前庭床
２２０  陰唇内壁
２３０  指
【図１】
2006043306.tif 000006
【図２】
2006043306.tif 000007
【図３】
2006043306.tif 000008
【図４】
2006043306.tif 000009
【図５】
2006043306.tif 000010
【図６】
2006043306.tif 000011
【図７】
2006043306.tif 000012
【図８】
2006043306.tif 000013
【図９】
2006043306.tif 000014
【図１０】
2006043306.tif 000015
【図１１】
2006043306.tif 000016
【図１２】
2006043306.tif 000017
【図１３】
2006043306.tif 000018
【図１４】
2006043306.tif 000019